(57)【要約】【課題】不要な掘削範囲を減少させて調査や掘削の費用および期間を削減する。【解決手段】発掘候補区域全体を複数の小範囲に分割し（ステップＳ１）、前記小範囲毎にレーダ探査を行うことによって（ステップＳ２）、レーダ探査装置の探査精度および操作性を向上させて、精度の高い探査結果を得ることにより各小範囲毎の埋設物の量を推定し、各小範囲を前記埋設物の量によってランク付けすることにより（ステップＳ３）、発掘作業の実施範囲を設定する（ステップＳ４）。【選択図】　図１
2004020439.tif 000002
【特許請求の範囲】
【請求項１】
地中埋設物を発掘する際に、発掘候補区域全体を複数の小範囲に分割し、前記小範囲毎にレーダ探査を行い、得られた探査結果より各小範囲毎の埋設物の量を推定し、各小範囲を前記埋設物の量によってランク付けすることにより、発掘作業の実施範囲を設定することを特徴とする地中埋設物の発掘方法。
【発明の詳細な説明】
【０００１】
【発明の属する技術分野】
本発明は、地中に存在する遺跡などの埋設物の発掘方法に関するものである。
【０００２】
【従来の技術】
遺跡などの地中埋設物の従来の発掘方法は、掘削作業を開始する前の段階において、レーダ探査装置を発掘候補区域全体の一方の端から他方の端まで直線的に移動させる探査を、ある間隔で繰り返し行い、検出された探査データに基づいて掘削調査範囲を決定し、掘削調査計画書を作成した後、掘削作業を実施する、というものであった。
【０００３】
【発明が解決しようとする課題】
しかしながら、前記の地中埋設物の発掘方法では、掘削作業前に大面積を一度にレーダ探査するというものであったため、レーダ探査装置の感度調整が不十分になって探査精度が悪くなり易く、また、一度に長い距離を操作しているため、レーダ探査装置の操作性も悪い。よって、掘削範囲を埋設物の存在する範囲に特定することが困難であるため、実際の掘削作業にあたっては、埋設物が存在している範囲に対して必要以上に広い範囲を掘削してしまうのが通常であり、掘削作業には長い期間と、莫大なコスト、多大な労働力を必要としている。
【０００４】
本発明は、このような従来の技術が有する課題に着目してなされたものであって、探査精度の高いデータを検出することによって不要な掘削範囲を減少させることが可能となり、調査や掘削の費用および期間を削減できる地中埋設物の発掘方法を提供することを目的としている。
【０００５】
【課題を解決するための手段】
上記目的を達成するために、請求項１記載の発明は、地中埋設物を発掘する際に、発掘候補区域全体を複数の小範囲に分割し、前記小範囲毎にレーダ探査を行い、得られた探査結果より各小範囲毎の埋設物の量を推定し、各小範囲を前記埋設物の量によってランク付けすることにより、発掘作業の実施範囲を設定することを特徴としている。
【０００６】
【発明の実施の形態】
以下、本発明の地中埋設物の発掘方法に係る実施形態を図面に基づいて説明する。図１は、本実施形態における探査手順の概略を示すフローチャートである。
本実施形態では、発掘候補区域に対してレーダ探査を実施する前に、図２に示すように、発掘候補区域１全体を、複数の小範囲１１〜１９にメッシュ分割法により分割する（ステップＳ１）。なお、小範囲１１〜１９毎に分割する際は、各範囲の形状および分割数を制限する必要は無いが、それぞれの面積を、レーダ探査装置の探査精度が有効に発揮される面積以下になるように分割することが必要である。
【０００７】
次に、分割された各小範囲１１〜１９に対して、図３に示すようにレーダ探査を実施する。図３は、小範囲１３内でレーダ探査装置２による探査作業を実施している状態を、上方から見た周辺拡大図である。レーダ探査装置２については、各小範囲１１〜１９のそれぞれについて探査作業を開始する前に、各小範囲毎の個別の状況に応じてその探査感度を調整し、その後、該小範囲内を図３中の矢印のように移動させて探査作業を行い、検出されたデータより、埋設物の量を推定する（ステップＳ２）。この時、レーダ探査装置２の小範囲内における探査ラインの移動（図３中の、左方向への移動）に関しては、探査未実施の箇所を生じさせないように、つまり一つ前の探査ラインとの間にできるだけ隙間が生じないようにレーダ探査装置２を移動させることが必要である。また、該レーダ探査装置２と地面との間隔は、探査精度が有効に発揮される距離を一定に保つことが望ましい。
【０００８】
なお、レーダ探査装置２の小範囲内における探査ラインの移動に関しては、本図中では図３の右端から左方向への移動としたが、これに限定されるものではなく、左端から右方向への移動や、上下方向の移動でもよい。また、小範囲１１〜１９毎の探査順序にも制限はないので、状況に適した順序で探査作業を実施するとよい。
【０００９】
探査作業を全ての小範囲１１〜１９に実施した後、各小範囲１１〜１９毎に検出された探査結果に基づき、各小範囲１１〜１９毎の埋設物の量を推定することによって、図４に示すように、埋設物の量が最も多い小範囲１５と、最も少ない小範囲１８とを、それぞれ抽出するとともに、埋設物の量がこれら二つの小範囲１５，１８間の各小範囲については、検出された埋設物の量に応じてランク分けを行う（ステップＳ３）。また、本図中では、推定された埋設物の量が前記二つの小範囲１５，１８間にある各小範囲のうち、小範囲１５に続いて２番目に多い埋設量が検出された小範囲１４、３番目に多い埋設量が検出された小範囲１１および、４番目に多い埋設量が検出された小範囲１２の三つの小範囲を、それぞれ抽出して表し、最も少ない小範囲１８は無地で、埋設物の量が極少なく検出された１３，１６，１７，１９の四つの小範囲については前記１５，１４，１１，１２の四つの小範囲よりも薄いハッチングで表している。
【００１０】
なお、推定された埋設物の量が前記二つの小範囲１５，１８間にある各小範囲については、探査によって検出された埋設物の量に応じてランク分けを行うが、埋蔵文化財包蔵地の電子地図データなど、既存の情報資料がある場合には、これらも併用して、掘削調査を行うランクを決定するための参考にするとよい。
それらの検出されたデータに基づき、図５に示すように、検出された埋設物の量に応じたランク分けによって、掘削作業を実施する小範囲を設定する。本図中では、埋設物の量が最も少ない小範囲１８および埋設物の量が極少ない１３，１６，１７，１９の計五つの小範囲については掘削作業を実施せず、掘削作業を実施する小範囲としては、検出された埋設物の量が最も多いものから４番目までの１１，１２，１４，１５の四つの小範囲を設定する（ステップＳ４）。
【００１１】
なお、探査作業において、パソコンのディスプレイなどに探査範囲全体を小範囲毎に分割した状態で表示し、レーダ探査作業によって検出された結果に応じて、各小範囲を色分けするなどの処理を行うと、作業範囲の確認が行いやすく、作業能率も上昇すると思われる。また、掘削範囲を設定する際も同様の処理を行うとよい。
【００１２】
これら一連のランク付けから、掘削調査が必要な範囲と、その優先順位とを決定することにより、作業範囲および作業工程を設定し、実際の掘削作業に要する工事費用と工事期間とを算定する（ステップＳ５）。
その後、設定された範囲に対して掘削作業を行い（ステップＳ６）、埋設物を掘り出し、必要な場合は各種器具の使用や化学分析などを併用して、埋設物の分析を行い、調査報告書にまとめる（ステップＳ７）。
【００１３】
上記のように本実施形態においては、発掘候補区域全体を複数の小範囲に分割したことにより、探査範囲毎のエリア特性に最適な感度調整を行うことが可能となるためレーダ探査装置の探査精度が向上し、また、探査範囲を、従来の広大な範囲から、分割された小範囲毎に限定することにより、レーダ探査装置の操作性が従来のものよりも向上する。その結果、実際の掘削前の調査のための費用や期間を削減することができる。
【００１４】
これらの作用により従来の方法と比較して、精度の高いデータを検出できるため、掘削対象範囲を限定することが可能になり、不要な掘削範囲が減少し、実際の掘削のための費用や期間も削減することができる。
なお、本実施形態では、発掘候補区域全体を複数の小範囲に分割する際に、全ての小範囲が等しい面積に分割される、メッシュ分割法を用いているため、掘削作業を実施する小範囲を設定する際に行う、各小範囲毎に検出されたデータの比較および検討が容易に行える。しかし、これに限定されるものではなく、メッシュ分割法以外の方法で分割してもよい。
【００１５】
また、本実施形態では、検出された埋設物の量が上位四番目までの小範囲に対して掘削作業を実施しているが、例えば一つの小範囲からのみ、掘削作業を実施するに十分な埋設物の量が検出された場合は、該当する小範囲に対してのみ掘削作業を実施すればよく、同様に、多くの小範囲から、掘削作業を実施するに十分な埋設物の量が検出された場合も、該当する全ての小範囲に対して掘削作業を実施すればよい。
【００１６】
【発明の効果】
以上説明したように、本発明の地中埋設物の発掘方法によれば、レーダ探査装置の探査精度および操作性が向上するため、精度の高いデータを検出でき、掘削対象範囲を限定することが可能になるので、不要な掘削範囲が減少し、調査や掘削の費用および期間が削減されるという効果を得ることができる。
【図面の簡単な説明】
【図１】本発明における実施形態の一例である作業手順を示すフローチャートである。
【図２】本発明の実施形態における発掘候補区域分割を実施した状態の平面図である。
【図３】本発明の実施形態における探査時の状態の平面図である。
【図４】本発明の実施形態におけるランク分けを実施した状態の平面図である。
【図５】本発明における掘削作業時の平面図である。
【符号の説明】
１　　　　　発掘候補区域
２　　　　　レーダ探査装置
１１〜１９　小範囲
【図１】
2004020439.tif 000003
【図２】
2004020439.tif 000004
【図３】
2004020439.tif 000005
【図４】
2004020439.tif 000006
【図５】
2004020439.tif 000007